(57)【要約】【課題】良好な気密性を有し、漏液及び水分の浸入が防止されている蓄電素子、及び蓄電素子の製造方法を提供する。【解決手段】蓄電素子１は、外部端子５が設けられた外装体２と、外装体２に収容された電極体３と、外部端子５とは異なる材料で形成され、軸方向の一端に外部端子５に接続されるかしめ部９２を有する導電軸部９１と、外装体２に収容され、導電軸部９１の他端が接続され、電極体３が接続された導電板部９０と、導電軸部９１の軸方向において外部端子５とかしめ部９２との間に配置された金属プレート１７とを備える。【選択図】図４
2019075214.tif 000002
【特許請求の範囲】
【請求項１】
外部端子が設けられた外装体と、
前記外装体に収容された電極体と、
前記外部端子とは異なる材料で形成され、軸方向の一端に前記外部端子に接続されるかしめ部を有する導電軸部と、
前記外装体に収容され、前記導電軸部の他端が接続され、前記電極体が接続された導電板部と、
前記導電軸部の軸方向において前記外部端子と前記かしめ部との間に配置された金属プレートと
を備える、蓄電素子。
【請求項２】
前記導電板部は、前記外装体の蓋板と略平行に延びる板状に形成され、その第一面に前記導電軸部の他端が接続され、その第二面に前記電極体の前記蓋板に向けて延びるタブが接続され、前記蓋板の面方向における前記導電板部及びタブのそれぞれの寸法は前記外部端子の寸法よりも大きい、請求項１に記載の蓄電素子。
【請求項３】
前記外部端子はアルミニウムで形成され、
前記導電軸部及び前記金属プレートは銅で形成されている、請求項１又は２に記載の蓄電素子。
【請求項４】
前記金属プレートの前記外部端子と接触する表面のイオン化傾向は、前記金属プレート本体のそれよりも大きく、前記外部端子のそれよりも小さい、請求項１から３までのいずれか１項に記載の蓄電素子。
【請求項５】
前記金属プレートは、前記外部端子と接触する表面にめっき層を有する、請求項１から４までのいずれか１項に記載の蓄電素子。
【請求項６】
前記外部端子は、第一面が凹部を有し、第二面が前記外装体と対向し、
前記金属プレートは、前記凹部内に配置されている、請求項１から５までのいずれか１項に記載の蓄電素子。
【請求項７】
第一貫通孔を有する蓋板の外面に、第二貫通孔を有する外部端子を配置し、
第三貫通孔を有する金属プレートを前記外部端子上に配置し、
導電軸部を、前記第一、第二、及び第三貫通孔に挿入し、
前記導電軸部の軸方向において前記外部端子とかしめ部との間に前記金属プレートが配置されるよう前記導電軸部の先端をかしめる、蓄電素子の製造方法。
【発明の詳細な説明】
【技術分野】
【０００１】
本発明は、外部端子が設けられている蓄電素子、及び蓄電素子の製造方法に関する。
【背景技術】
【０００２】
携帯電話、自動車等の様々な機器に、充放電可能な蓄電素子が使用されている。電気自動車（ＥＶ）又はプラグインハイブリッド電気自動車（ＰＨＥＶ）等の電気エネルギーを動力源とする車両は、大きなエネルギーを必要とするため、複数の蓄電素子を備える大容量の蓄電モジュールを搭載している。
【０００３】
一般に、蓄電素子は、セパレータを介して正極板及び負極板を積層し、又は巻回して形成される電極体を、電解液と共にケースに気密に収容する。電極体と集電体を介し電気的に接続される正極外部端子及び負極外部端子が、ケースの蓋板に設けられる。
ケースと端子との間、及びケースと集電体との間には、ガスケット又は絶縁プレートが配される。
【０００４】
特許文献１は、角型のケースを有するリチウムイオン二次電池を開示している。ケースの蓋は、貫通孔を有する。貫通孔に棒状の胴部が挿入され、該胴部の一端部にはケース内で第１フランジ部が連結され、胴部の他端部には端子板（外部端子）が接続されている。第１フランジ部には、電極体のタブが接続されている。
【先行技術文献】
【特許文献】
【０００５】
【特許文献１】特開２０１６−９１６５９号公報
【発明の概要】
【発明が解決しようとする課題】
【０００６】
蓄電素子には、外部端子と集電体との機械的かつ電気的な接続性が良好であり、良好な気密性を有し、漏液及び水分の浸入が防止されていることが求められている。
【０００７】
本発明は斯かる事情に鑑みてなされたものであり、良好な気密性を有し、漏液及び水分の浸入が防止されている蓄電素子、及び蓄電素子の製造方法を提供することを目的とする。
【課題を解決するための手段】
【０００８】
本発明に係る蓄電素子は、外部端子が設けられた外装体と、前記外装体に収容された電極体と、前記外部端子とは異なる材料で形成され、軸方向の一端に前記外部端子に接続されるかしめ部を有する導電軸部と、前記外装体に収容され、前記導電軸部の他端が接続され、前記電極体が接続された導電板部と、前記導電軸部の軸方向において前記外部端子と前記かしめ部との間に配置された金属プレートとを備える。
【０００９】
本発明に係る蓄電素子の製造方法は、第一貫通孔を有する蓋板の外面に、第二貫通孔を有する外部端子を配置し、第三貫通孔を有する金属プレートを前記外部端子上に配置し、導電軸部を、前記第一、第二、第三貫通孔に挿入し、前記導電軸部の軸方向において前記外部端子とかしめ部との間に前記金属プレートが配置されるよう前記導電軸部の先端をかしめる。
【発明の効果】
【００１０】
本発明によれば、導電軸部の一端（先端）と外部端子との間に金属プレートが介在するので、導電軸部の一端を外部端子にかしめるときに、かしめによる押圧力が金属プレートを通して分散する。外部端子の変形が抑制されるので、強い力でかしめることができ、かしめ部と外部端子との機械的かつ電気的な接続性が良好である。蓄電素子は、良好な気密性を有し、漏液が防止され、水分の浸入が防止される。
【図面の簡単な説明】
【００１１】
【図１】第１実施形態に係る蓄電素子の斜視図である。
【図２】蓄電素子の正面図である。
【図３】図２のIII −III線断面図である。
【図４】図２のIV−IV線の部分拡大断面図である。
【図５】凹部の底面にワッシャを載置せず、導電軸部を負極端子にかしめてかしめ部を形成したときの断面を示す顕微鏡写真である。
【図６】凹部の底面にワッシャを載置し、導電軸部を負極端子にかしめてかしめ部を形成したときの断面を示す顕微鏡写真である。
【図７】第２実施形態に係る蓄電素子の負極端子の蓋板の取り付け部分を示す断面図である。
【発明を実施するための形態】
【００１２】
（本実施形態の概要）
本実施形態の蓄電素子は、外部端子が設けられた外装体と、前記外装体に収容された電極体と、前記外部端子とは異なる材料で形成され、軸方向の一端に前記外部端子に接続されるかしめ部を有する導電軸部と、前記外装体に収容され、前記導電軸部の他端が接続され、前記電極体が接続された導電板部と、前記導電軸部の軸方向において前記外部端子と前記かしめ部との間に配置された金属プレートとを備える。
【００１３】
導電軸部及び外部端子の材質が異なり、例えば導電軸部が外部端子より硬い場合、導電軸部の一端を外部端子にかしめるときに、外部端子に変形が生じ易い。上記構成では、導電軸部の一端と外部端子との間に金属プレートが介在するので、導電軸部の一端を外部端子にかしめるときに、かしめによる押圧力が金属プレートを通して分散する。外部端子の変形が抑制され、強い力でかしめることができるので、かしめ部と外部端子との機械的かつ電気的な接続性が良好である。かしめ部、外部端子、蓋板、及び導電板部が良好に一体化されるので、良好な気密性を有し、漏液が防止され、水分の浸入が防止される。
【００１４】
前記導電板部は、前記外装体の蓋板と略平行に延びる板状に形成され、その第一面に前記導電軸部の他端が接続され、その第二面に前記電極体の前記蓋板に向けて延びるタブが接続され、前記蓋板の面方向における前記導電板部及びタブのそれぞれの寸法は前記外部端子の寸法よりも大きくてもよい。
【００１５】
上記構成によれば、導電板部が蓋板と略平行に延びる板状に形成されているため、導電板部が外装体内で占有する体積が小さい。そのため、外装体内における電極体の体積占有率（Ｖｏｌｕｍｅ  Ｏｃｃｕｐａｎｃｙ）を大きくして、蓄電素子のエネルギー密度を向上できる。導電板部が外装体内で占有する体積が小さいにもかかわらず、タブが接続される第二面の面積を広く確保できる。そのため、タブと導電板部との接触面積を大きくして、蓄電素子における電流経路の抵抗ロスを小さくできる。大電流が流れても、溶断しにくい電流経路を構成できる。
【００１６】
前記外部端子はアルミニウムで形成され、前記導電軸部及び前記金属プレートは銅で形成されてもよい。
【００１７】
銅製の導電軸部の一端をアルミニウム製の外部端子にかしめた場合、アルミニウムの硬度は銅の硬度より小さいので、外部端子が変形しやすい。
上記構成によれば、銅製の導電軸部の端部を銅製の金属プレートを通じて外部端子にかしめるので、外部端子は変形し難くなる。
【００１８】
前記金属プレートの前記外部端子と接触する表面のイオン化傾向は、前記金属プレート本体のそれよりも大きく、前記外部端子のそれよりも小さくてもよい。
【００１９】
金属プレートと外部端子との接触部においては、異種金属が接触するので、接触部に例えば水等の液体が入り込み、液体を介して金属プレートと外部端子とが導通すると、電蝕（ガルバニック腐食）が生じる虞がある。外部端子のイオン化傾向が金属プレートのそれより大きい場合、外部端子が腐食する。
外部端子と導電軸部との間に金属プレートが介在し、イオン化傾向が、外部端子、金属プレートの外部端子と接触する表面、金属プレート本体の順に大きい場合、金属プレートの前記表面と外部端子との間の電位差は、金属プレート本体と外部端子との間の電位差より小さくなる。従って、電蝕の発生が抑制され、電気的性能の低下、及び短寿命化が抑制される。
【００２０】
上述の蓄電素子は、前記金属プレートは、前記外部端子と接触する表面にめっき層を有してもよい。
【００２１】
金属プレートの前記表面にめっき層を有することにより、外部端子の変形を抑制し、かつ簡単な構成で電蝕を抑制できる。
【００２２】
上述の蓄電素子は、前記外部端子は、第一面が凹部を有し、第二面が前記外装体と対向し、前記金属プレートは、前記凹部内に配置されていてもよい。
【００２３】
上記構成によれば、凹部の内部にかしめ部を収容できるため、外部端子にバスバー等の導電部材を接続しやすい。
【００２４】
蓄電素子の製造方法は、第一貫通孔を有する蓋板の外面に、第二貫通孔を有する外部端子を配置し、第三貫通孔を有する金属プレートを前記外部端子上に配置し、導電軸部を、前記第一、第二、第三貫通孔に挿入し、前記導電軸部の軸方向において前記外部端子とかしめ部との間に前記金属プレートが配置されるよう前記導電軸部の先端をかしめる。
【００２５】
上記構成によれば、導電軸部の先端と外部端子との間に金属プレートが介在するので、導電軸部の先端を外部端子にかしめるときに、かしめによる押圧力が金属プレートを通して分散する。外部端子の変形が抑制され、強い力でかしめることができるので、かしめ部と外部端子との機械的かつ電気的な接続性が良好である。
【００２６】
（第１実施形態）
以下本発明を、実施の形態に係る蓄電素子を示す図面に基づいて説明する。図１は第１実施形態に係る蓄電素子の斜視図、図２は蓄電素子の正面図である。以下、蓄電素子１がリチウムイオン二次電池である場合を説明するが、蓄電素子１はリチウムイオン二次電池には限定されない。
【００２７】
図１に示すように、蓄電素子１は、蓋板２１及びケース本体２０を有するケース２、正極端子４、負極端子５、外ガスケット７，１０、破裂弁６、及び集電体９，１２を備える。正極端子４は略中央部に凹部４１を有し、凹部４１に集電体１２の端部が機械的かつ電気的に接続されている。負極端子５は略中央部に凹部５１を有し、凹部５１に集電体９の端部が機械的かつ電気的に接続されている。集電体９，１２の詳しい接続構造は後述する。
【００２８】
ケース２は例えばアルミニウム、アルミニウム合金、ステンレス等の金属、又は合成樹脂からなる。ケース２は、直方体状をなし、後述する電極体３及び電解液（不図示）を収容する。本実施形態では、蓄電素子１の設置面（不図示）に対し、蓋板２１が垂直に延びるように配置されている。なお、蓋板２１は、図１における上を向くように配置してもよい。
【００２９】
図２に示すように、蓋板２１の外面の一端部に正極端子４が外ガスケット１０を介して設けられ、蓋板２１の外面の他端部に負極端子５が外ガスケット７を介して設けられている。正極端子４及び負極端子５は、その平坦な外面が露呈して、バスバー等の導電部材（図示せず）が溶接されるように構成されている。蓋板２１の、正極端子４と負極端子５との間に破裂弁(Rupture Valve)６が設けられている。
【００３０】
図３は、図２のIII −III線断面図である。図３に示すように、電極体３は、複数の正極板１８、負極板１３、及びセパレータ１４を備える。正極板１８、負極板１３、及びセパレータ１４はそれぞれ、図３における左右方向から見て矩形状をなす。複数の正極板１８及び負極板１３は、セパレータ１４を介して交互に積層されている。図３においては、それぞれの負極板１３から延びる負極タブ１６が、それらの先端側で重ね合わされて導電板部９０の内面（第二面）に接合されている状態を示す。負極タブ１６は、蓄電素子１のエネルギー密度を向上できるように（負極端子５と負極板１３との間の電流経路による占有スペースを小さくできるように）、ケース２内に湾曲した状態で収容されている。図示していないが、正極板１８から延びる正極タブ１５（後述）も、負極タブ１６と同様に構成されている。
電極体３は、長尺の正極板１８と負極板１３とをセパレータ１４を介して扁平状に巻回して得られる巻回タイプであってもよい。
集電体９の取り付け構造は後述する。
【００３１】
正極板１８は、アルミニウムやアルミニウム合金等からなる板状（シート状）又は長尺帯状の金属箔である正極基材箔の両面に正極活物質層が形成されたものである。負極板１３は、銅及び銅合金等からなる板状（シート状）又は長尺帯状の金属箔である負極基材箔の両面に負極活物質層が形成されたものである。
正極活物質層に用いられる正極活物質、又は負極活物質層に用いられる負極活物質としては、リチウムイオンを吸蔵放出可能な正極活物質又は負極活物質であれば、適宜公知の材料を使用できる。
【００３２】
正極活物質としては、例えば、ＬｉＭＰＯ4 、ＬｉＭ2 ＳｉＯ4 、ＬｉＭＢＯ3 （ＭはＦｅ、Ｎｉ、Ｍｎ、Ｃｏ等から選択される１種又は２種以上の遷移金属元素）等のポリアニオン化合物、チタン酸リチウム、マンガン酸リチウム等のスピネル化合物、ＬｉＭＯ２（ＭはＦｅ、Ｎｉ、Ｍｎ、Ｃｏ等から選択される１種又は２種以上の遷移金属元素）等のリチウム遷移金属酸化物等を用いることができる。
【００３３】
負極活物質としては、例えば、リチウム金属、リチウム合金（リチウム−アルミニウム、リチウム−シリコン、リチウム−鉛、リチウム−錫、リチウム−アルミニウム−錫、リチウム−ガリウム、及びウッド合金等のリチウム金属含有合金）の他、リチウムを吸蔵・放出可能な合金、炭素材料（例えば黒鉛、難黒鉛化炭素、易黒鉛化炭素、低温焼成炭素、非晶質カーボン等）、金属酸化物、リチウム金属酸化物（Ｌｉ4 Ｔｉ5 Ｏ12等）、ポリリン酸化合物等が挙げられる。
【００３４】
セパレータ１４は、電解液が浸潤するシート状乃至フィルム状の材料から形成される。セパレータ１４を形成する材料としては、例えば織布、不織布、又は多孔性かつシート状乃至フィルム状の樹脂が挙げられる。セパレータ１４は正極板１８と負極板１３とを離隔すると共に、正極板１８と負極板１３との間に電解液を保持する。
【００３５】
図４は、図２のIV−IV線の部分拡大断面図である。蓋板２１には、二つの貫通孔２１０、２１１が蓋板２１の長手方向に間隔をあけて設けられている。貫通孔２１０、２１１の間に破裂弁６が配置されている。
【００３６】
図４に示すように、蓄電素子１は貫通孔２１１の近傍に、負極端子５、外ガスケット７、内ガスケット８、集電体９、及びワッシャ１７を備える。
集電体９は銅製であり、導電板部９０、導電軸部９１、及びかしめ部９２を有する。導電板部９０は蓋板２１の内側に配置されている。筒状の導電軸部９１は導電板部９０の外面（第一面）の略中央部に設けられており、貫通孔２１１を貫通する。導電軸部９１の軸方向の一端にかしめ部９２が形成されている。
導電軸部９１は導電板部９０に一体的に形成されてもよい。代替的に、導電軸部９１は、導電板部９０とは別体で、導電板部９０に溶接、かしめ等により接合されてもよい。導電軸部９１は中実であってもよい。
【００３７】
内ガスケット８は、例えばポリフェニレンサルファイド（ＰＰＳ）又はポリプロピレン（ＰＰ）等の合成樹脂製である。内ガスケット８は、板部８０、挿通孔８１、ボス８２、縁部８３、及び被圧縮凸部８４を有する。板部８０は、導電板部９０と蓋板２１の内面との間に介在し、略中央部に挿通孔８１を有する。挿通孔８１を囲むように、筒状のボス８２が設けられており、導電軸部９１の外周を覆っている。板部８０の内面の周縁には、内側に突出する縁部８３が設けられている。縁部８３は導電板部９０の側面を覆う。板部８０における、ボス８２の外周側の両面にはリング状の被圧縮凸部８４，８４が設けられている。被圧縮凸部８４はリング状に限定されず、周方向に間隔をあけて複数設けられてもよい。
【００３８】
負極端子５はアルミニウム製であり、矩形板状をなす。負極端子５は第一面（外面）に、丸穴状の凹部５１を有する。凹部５１の底面の中央部には、導電軸部９１が挿通される挿通孔５２が設けられている。
凹部５１の底面には、本実施形態に係る金属プレートとしてのワッシャ１７が載置されている。ワッシャ１７は銅製である。導電軸部９１の端部をワッシャ１７にかしめることにより、かしめ部９２が形成され、集電体９が負極端子５に機械的かつ電気的に接続される。金属プレートはワッシャには限定されない。例えば金属製の矩形板に、導電軸部９１を挿通する丸孔が設けられていてもよい。
また、金属プレートの材料は銅には限定されない。負極端子５の材料のアルミニウムより硬ければよく、例えば鉄鋼、ＳＵＳ、真鍮、調質により負極端子５のアルミニウムより硬くしたアルミニウム等が挙げられる。
【００３９】
外ガスケット７はＰＰＳ又はＰＰ等の合成樹脂製であり、板部７０、挿通孔７１、及び縁部７２を有する。板部７０は、蓋板２１の外面と負極端子５の内面との間に介在する。挿通孔７１は板部７０の略中央部に設けられており、ボス８２が挿入される。板部７０の外面の周縁には、外側に突出する縁部７２が設けられており、負極端子５の側面を覆っている。
蓋板２１の面方向（長手方向）における、導電板部９０及び負極タブ１６のそれぞれの寸法は、負極端子５の寸法よりも大きい。
【００４０】
図４に示すように、蓄電素子１は貫通孔２１０の近傍に、正極端子４、外ガスケット１０、内ガスケット１１、及び集電体１２を備える。
集電体１２はアルミニウム製であり、導電板部１２０、導電軸部１２１、及びかしめ部１２２を有する。導電板部１２０は蓋板２１の内側に配置されている。筒状の導電軸部１２１は導電板部１２０の略中央部に設けられており、貫通孔２１０を貫通する。導電軸部１２１の端部にかしめ部１２２が形成されている。
導電軸部１２１は導電板部１２０に一体的に形成されてもよい。代替的に、導電軸部１２１は、導電板部１２０とは別体で、導電板部１２０に溶接、かしめ等により接合されてもよい。
【００４１】
内ガスケット１１は、例えばＰＰＳ又はＰＰ等の合成樹脂製である。内ガスケット１１は、板部１１０、挿通孔１１１、ボス１１２、縁部１１３、及び被圧縮凸部１１４を有する。板部１１０は、導電板部１２０と蓋板２１の内面との間に介在し、略中央部に挿通孔１１１を有する。挿通孔１１１を囲むように、筒状のボス１１２が設けられており、導電軸部１２１の外周を覆っている。板部１１０の内面の周縁には、内側に突出する縁部１１３が設けられている。板部１１０における、ボス１１２の外周側の両面に、リング状の被圧縮凸部１１４，１１４が設けられている。被圧縮凸部１１４はリング状に限定されず、周方向に間隔をあけて複数設けられてもよい。
【００４２】
正極端子４はアルミニウム製であり、矩形板状をなす。正極端子４は第一面（外面）に、丸穴状の凹部４１を有する。凹部４１の底面の中央部には、導電軸部１２１が挿通される挿通孔４２が設けられている。
負極端子５と異なり、凹部４１の底面にはワッシャ１７は載置されていない。導電軸部１２１の端部を凹部４１にかしめることにより、かしめ部１２２が形成され、集電体１２が正極端子４に機械的にかつ電気的に接続される。
【００４３】
外ガスケット１０はＰＰＳ又はＰＰ等の合成樹脂製であり、板部１００、挿通孔１０１、及び縁部１０２を有する。板部１００は、蓋板２１の外面と正極端子４の内面との間に介在する。挿通孔１０１は板部１００の略中央部に設けられており、ボス１１２が挿入される。板部１００の外面の周縁には、外側に突出する縁部１０２が設けられており、正極端子４の側面を覆っている。
【００４４】
以下、蓄電素子１の製造方法について説明する。
蓋板２１の貫通孔２１１に内ガスケット８が取り付けられる（ボス８２が貫通孔２１１に挿入される）。蓋板２１の外側に外ガスケット７が配置され、挿通孔７１にボス８２の先端が挿入される。
負極端子５が縁部７２内に配置され、挿通孔５２とボス８２とが同軸的に配置される。      
【００４５】
集電体９が内ガスケット８の内側に配置される。導電軸部９１がボス８２に挿入され、導電軸部９１の先端部が挿通孔５２から外側に突出する。導電板部９０は縁部８３の内側に配置される。
【００４６】
ワッシャ１７を導電軸部９１の先端部に嵌めて、凹部５１の底面に載置する。
導電軸部９１の先端部がワッシャ１７に向けて押圧され（押し拡げられ）、かしめ部９２が形成される。かしめ部９２は凹部５１内に拡がり、負極端子５は外ガスケット７に固定される。このとき、圧縮力により被圧縮凸部８４，８４が押圧されて圧縮する。
【００４７】
正極端子４についても、負極端子５と同様に、内ガスケット１１のボス１１２が蓋板２１の内側から貫通孔２１０に挿入される。蓋板２１の外側に外ガスケット１０が配置され、挿通孔１０１にボス１１２の先端が挿入される。正極端子４が縁部１０２内に配置され、挿通孔４２とボス１１２とが同軸的に配置される。
集電体１２の導電軸部１２１が蓋板２１の内側からボス１１２に挿入され、導電軸部１２１の先端部が正極端子４の凹部４１の底面に向けて押圧され、かしめ部１２２が形成される。かしめ部１２２は凹部４１内に拡がり、正極端子４は外ガスケット１０に固定される。
【００４８】
図５は、凹部５１の底面にワッシャ１７を載置せず、導電軸部９１を負極端子５にかしめてかしめ部９２を形成したときの断面を示す顕微鏡写真である。
図５に示すように、押圧力が負極端子５の凹部５１の底面の一部分に集中して凹み、反対側の面が突出している。導電軸部９１は銅製であり、負極端子５はアルミニウム製であり、アルミニウムの硬度は銅より小さいので、下向きの押圧力が一部分に集中し易い。
導電軸部１２１の先端部を正極端子４の凹部４１の底面にかしめる場合、導電軸部１２１及び正極端子４は共にアルミニウム製であるので、押圧力は分散し、正極端子４は変形しない。
【００４９】
図６は、凹部５１の底面にワッシャ１７を載置し、導電軸部９１を負極端子５にかしめてかしめ部９２を形成したときの断面を示す顕微鏡写真である。
凹部５１の底面に銅製のワッシャ１７が載置されているので、かしめたときにワッシャ１７を介して、下向きの押圧力が分散し、図６に示すように、負極端子５の変形が抑制されていることが分かる。
【００５０】
本実施形態においては、導電軸部９１の直下に負極タブ１６が配置されているので、負極タブ１６から負極端子５までの電流経路が短い。導電板部９０が蓋板２１と略平行に延びる板状に形成されているため、導電板部９０がケース２内で占有する体積が小さい。そのため、ケース２内における電極体３の体積占有率が大きく、蓄電素子１のエネルギー密度が良好である。導電板部９０がケース２内で占有する体積が小さいにも関わらず、負極タブ１６が接続される内面の面積を広く確保できる。そのため、負極タブ１６と導電板部９０との接触面積を大きくして、電流経路の抵抗ロスを小さくできる。ま同様に、正極タブ１５から正極端子４までの電流経路が短く、また正極タブ１５と導電板部１２０との接触面積を大きくして、電流経路の抵抗ロスを小さくできる。従って、蓄電素子１において、大電流が流れても、電流経路が溶断しにくい。
【００５１】
そして、上述したように、ワッシャ１７により負極端子５の変形が抑制されているので、かしめる力を強くすることができ、かしめ部９２と負極端子５との機械的かつ電気的な接続性が良好である。かしめ部９２、負極端子５、外ガスケット７、蓋板２１、内ガスケット８、及び導電板部９０が良好に一体化されるので、蓄電素子１は、良好な気密性を有し、漏液が防止され、水分の浸入が防止される。
【００５２】
（第２実施形態）
図７は、第２実施形態に係る蓄電素子３０の負極端子５の蓋板２１の取り付け部分を示す断面図である。図中、図４と同一部分は同一符号を付して詳細な説明を省略する。
第２実施形態の蓄電素子３０は、ワッシャ１７の全表面にＮｉめっきにより形成されためっき層１７１を有すること以外は、第１実施形態の蓄電素子１と同様の構成を有する。
【００５３】
めっき層１７１は、Ｎｉめっきにより形成される。Ｎｉめっきは、電解Ｎｉめっき及び無電解Ｎｉめっきのいずれでもよい。
【００５４】
ワッシャ１７は銅製であり、負極端子５はアルミニウム製である。ワッシャ１７と負極端子５との接触部は異種金属が接触することになるので、接触部に例えば水等の液体が入り込んだ状態で電流が流れると、電蝕現象が生じる虞がある。アルミニウムは銅よりイオン化傾向が大きいので、負極端子５が腐食する。
負極端子５と集電体９との接続部分に腐食が生じると、蓄電素子１の電気的性能が低下し、寿命が短くなる。
【００５５】
本実施形態においては、ワッシャ１７の表面にめっき層１７１を有し、ワッシャ１７と負極端子５との間にめっき層１７１が介在することになる。めっき層１７１はＮｉにより形成され、Ｎｉのイオン化傾向はアルミニウムと銅との間であるので、めっき層１７１と負極端子５との間の電位差が、ワッシャ１７と負極端子５との間の電位差より小さくなる。従って、耐腐食性が向上する。
【００５６】
なお、本実施形態においては、ワッシャ１７の全表面にめっき層１７１を有する場合につき説明しているが、これに限定されず、少なくとも負極端子５との接触部分にめっき層１７１が形成されていればよい。かしめ部９２及びワッシャ１７は銅製であり、かしめ部９２とワッシャ１７との間にめっき層１７１が介在しない場合、接触金属間の電位差が０であるので、この接触部で電蝕は生じない。
また、イオン化傾向の差を小さくする方法は、めっき層１７１を形成する方法には限定されない。ワッシャ１７の表面のイオン化傾向が、負極端子５のイオン化傾向と導電軸部９１のイオン化傾向との間にあるようにできればよい。
【００５７】
本発明は上述した実施形態の内容に限定されるものではなく、請求項に示した範囲で種々の変更が可能である。即ち、請求項に示した範囲で適宜変更した技術的手段を組み合わせて得られる実施形態も本発明の技術的範囲に含まれる。
第１実施形態及び第２実施形態において、蓄電素子１がリチウムイオン二次電池である場合につき説明しているが、蓄電素子１はリチウムイオン二次電池には限定されない。蓄電素子１は、ニッケル水素電池等の他の二次電池であってもよいし、一次電池であってもよいし、キャパシタ等の電気化学セルであってもよい。
【符号の説明】
【００５８】
１、３０  蓄電素子
２  ケース
２０  ケース本体
２１  蓋板
３  電極体
４  正極端子
４１、５１  凹部
４２、５２  挿通孔
５  負極端子
６  破裂弁
７、１０  外ガスケット
７０、１００  板部
７１、１０１  挿通孔
７２、１０２  縁部
８、１１  内ガスケット
８０、１１０  板部
８１、１１１  挿通孔
８２、１１２  ボス
８３、１１３  縁部
８４、１１４  被圧縮凸部
９、１２  集電体
９０、１２０  導電板部
９１、１２１  導電軸部
９２、１２２  かしめ部
１７  ワッシャ
１７１  めっき層
【図１】
2019075214.tif 000003
【図２】
2019075214.tif 000004
【図３】
2019075214.tif 000005
【図４】
2019075214.tif 000006
【図５】
2019075214.tif 000007
【図６】
2019075214.tif 000008
【図７】
2019075214.tif 000009